(57)【要約】【課題】自己の職等を紹介する名刺と来店効果を発揮するサービス券を組み合わせたサービス券付き名刺を提供する。【解決手段】名刺の形状とサービス券を一体化させることでインパクト並びにお客さん来店を増やし、名刺とサービス券の境界の区切りに折り線を兼ねたミシン目を設けるそれによって折り畳んだ際には名刺サイズとなり従来同様に財布や名刺入れに納まり保管もしやすくなる。【選択図】  図１
2005297525.tif 000002
【特許請求の範囲】
【請求項１】
割引などの特別なサービスを受けることができるサービス券が分離可能に取り付けられていることを特徴とする名刺。
【請求項２】
前記の取り付けられているサービス券部分は折りたたみ可能に取り付けられていることを特徴とする請求項１に記載の名刺。
【請求項３】
前記の折りたたみにおいて、サービス券部分は、名刺サイズと同等あるいは小さく折りたたむことができることを特徴とする請求項２に記載の名刺。
【請求項４】
前記のサービス券が取り付けられた名刺を規定のサイズの台紙に複数枚レイアウトし、切り離して使用できる名刺。
【請求項５】
前記のサービス券付き名刺の複数枚のレイアウトにおいて、
名刺を横置きとし、その名刺の横隣に名刺サイズを４分の１サイズとしたサービス券を縦２列、横２行の４枚取りとした、名刺１枚にサービス券４枚が取り付けたれた１組のサービス券付き名刺を、Ａ４サイズの縦置き台紙に、５行に並べたてレイアウトした５組取りの台紙としたことを特徴とする請求項４に記載の名刺。
【請求項６】
前記のサービス券付き名刺の複数枚のレイアウトにおいて、
名刺の下隣に名刺サイズを４分の１サイズとしたサービス券を縦２列、横３行の６枚取りとした、名刺１枚にサービス券６枚が取り付けられた１組のサービス券付き名刺を、Ａ４サイズの縦置き台紙に、２列２行に並べたてレイアウトした４組取りの台紙としたことを特徴とする請求項４に記載の名刺。
【請求項７】
前記のサービス券付き名刺の複数枚のレイアウトにおいて、
名刺の上隣には、名刺サイズを４分の１サイズとしたサービス券を縦２列、横１行の２枚取りとし、名刺の下隣には、名刺サイズを４分の１サイズとしたサービス券を縦２列、横２行で４枚取りとした、名刺１枚にサービス券６枚を上下両側に取り付けられた１組のサービス券付き名刺を、Ａ４サイズの縦置き台紙に、２列２行に並べたてレイアウトした４組取りの台紙としたことを特徴とする請求項４に記載の名刺。
【請求項８】
前記のサービス券付き名刺の複数枚のレイアウトにおいて、
名刺の下隣に名刺サイズを４分の１サイズとしたサービス券を縦２列、横８行の１６枚取りとした、名刺１枚にサービス券１６枚が取り付けられた１組のサービス券付き名刺を、Ａ４サイズの縦置き台紙に、２列に並べたてレイアウトした２組取りの台紙としたことを特徴とする請求項４に記載の名刺。
【請求項９】
台紙がハガキサイズであり、この台紙の下位置に名刺を配置し、その名刺の上隣に、名刺サイズの４分の１サイズとしたサービス券を縦２列、横３行の６枚取りとした、名刺１枚にサービス券６枚を取り付けられたサービス券付き名刺を、このはがきサイズの台紙の裏面に、レイアウトしたことを特徴とする請求項４に記載の名刺。
【発明の詳細な説明】
【技術分野】
【０００１】  本発明は、名刺の形状とサービス券を組み合わせ、名刺サイズに折り畳みが可能並びにサービス券１枚１枚も手で切り取ることも出来るサービス券付きの名刺に関する。
【背景技術】
【０００２】  従来の名刺は殆どの方が収納また保管しやすいサイズ９１ｍｍ×５５ｍｍに統一されている。用紙はやや厚手を利用し掲載内容は会社名・店名・自治体名、名前、住所、電話、番号、ファックス番号、ホームページ、Ｅメール、地図等で相手に手渡しアピールをする宣伝用である。
サービス券は値引き券、クーポン券、割引券、商品引換券、抽選券等の何れかである。
【発明の開示】
【発明が解決しようとする課題】
【０００３】  しかしながら名刺だけの宣伝ではインパクトが弱く効果が足りなかった。そこで来店効果を発揮するサービス券とを組み合わせまた従来道理の保管しやすい名刺サイズに折り畳み可能なサービス券付き名刺を提供することを課題とする。
【課題を解決するための手段】
【０００４】  以上の課題を解決するために、第一発明は名刺とサービス券を一体化することを特徴とするサービス券付き名刺である。
また、第二発明は、名刺とサービス券の境界に折れ線を兼ねたミシン目を設けることで名刺サイズに折りたたみが可能でサービス券は、手で切り取れることを特徴とするサービス券付き名刺である。
【発明の効果】
【０００５】  折りたたんだ形態が名刺サイズなので財布や名刺入れに収まり保管しやすい、サービス券も紛失の可能性が減り利用度も増し、結果的にお客さんの来店増大に効果がある。
【発明を実施するための最良の形態】
【０００６】  この発明の一実施形態を、図１に示す。
サービス券付き名刺の全体１は用紙であり、この名刺部分２の下側には、サービス券３が一体となって設けられている。このサービス券３と名刺部分２並びにサービス券３とサービス券３の境界には折れ線を兼ねたミシン目４・５が設けられている。用紙は名刺として使用できる用紙であればいずれでも良い。【０００７】  この形態によれば、名刺サイズなので殆どの人が財布に保管している。したがって紛失の可能性が低いのでサービス券の利用度も増し、来店の機会も増える。【０００８】  図１の実施形態ではサービス券３の位置が名刺２の下片側であったが、反対側の上片側、上下両側、左片側、右片側、両左右側または四方、三方でも良い。【０００９】  図２は、図１の名刺を折りたたむ状態を示す図である。ミシン目に沿って折りたたむことで、サービス券は名刺サイズからはみ出さずにスマートに収めることができ、名刺入れなどにそのまま収納できる。【００１０】  図３は、Ａ４サイズの台紙にサービス券４枚が取り付けられた名刺を５枚取れるようにしたレイアウトを示す図である。台紙は、汎用のプリンターなどで容易に印刷でき、名刺として使用できる厚さ及び硬さのものであればいずれでも良く、例えば、エーワン株式会社製の品番５１０７７用紙などが使用できる。【００１１】  図４は、Ａ４サイズの台紙にサービス券６枚が下隣りに取り付けられた名刺を５枚取れるようにしたレイアウトを示す図である。【００１２】  図５は、Ａ４サイズの台紙にサービス券６枚が上下隣りに取り付けられた名刺を５枚取れるようにしたレイアウトを示す図である。【００１３】  図６は、Ａ４サイズの台紙にサービス券１６枚が下隣に取り付けられた名刺を２枚取れるようにしたレイアウトを示す図である。【００１４】  図７は、ハガキサイズの台紙にサービス券６枚が取り付けられた名刺を１枚取れるようにした表のレイアウトを示す図である。【００１５】  図８は、７図の裏のレイアウトを示す図である。【００１６】  図９は、図７・図８の名刺をハガキ台紙から切り離し折りたたむ状態を示す図である。
【図面の簡単な説明】
【００１７】
【図１】この発明の一実施形態を示した平面図である。
【図２】折りたたむ状態を示す斜視図である。
【図３】Ａ４用紙でのサービス券４枚横片側×５組取りの平面図である。
【図４】Ａ４用紙でのサービス券６枚下片側×５組取りの平面図である。
【図５】Ａ４用紙でのサービス券６枚上下両側×５組取りの平面図である。
【図６】Ａ４用紙でのサービス券１６枚下片側×２組取りの平面図である。
【図７】ハガキ表でのサービス券６枚取りの平面図である。
【図８】図７のハガキ裏取りである。
【図９】図７・図８を切り取った状態を示す斜視図である。
【符号の説明】
【００１８】１  名刺本体
２  名前や会社名等の紹介部分
３  サービス券
４、５  折りたたみ線を兼ねたミシン目
【図１】
2005297525.tif 000003
【図２】
2005297525.tif 000004
【図３】
2005297525.tif 000005
【図４】
2005297525.tif 000006
【図５】
2005297525.tif 000007
【図６】
2005297525.tif 000008
【図７】
2005297525.tif 000009
【図８】
2005297525.tif 000010
【図９】
2005297525.tif 000011